(57)【要約】【課題】  例えば、使用しない突起部材の所持に有利な操作装置を提供することを目的とする。【解決手段】  レンズ操作装置は、操作部材を有し、前記操作部材の回転操作により、可動の光学部材を操作するための操作装置であって、前記操作部材は、突起部材を着脱可能であり、前記操作部材に前記突起部材を着けない場合に前記突起部材を保持する保持部を有する、ことを特徴とする。【選択図】  図２
2019086609.tif 000002
【特許請求の範囲】
【請求項１】
操作部材を有し、前記操作部材の回転操作により、可動の光学部材を操作するための操作装置であって、
前記操作部材は、突起部材を着脱可能であり、
前記操作部材に前記突起部材を着けない場合に前記突起部材を保持する保持部を有する、
ことを特徴とする操作装置。
【請求項２】
前記保持部は、前記突起部材の少なくとも一部を収納可能に形成された空間を有することを特徴とする請求項１に記載の操作装置。
【請求項３】
前記保持部は、前記突起部材を固定するための固定部を有することを特徴とする請求項１又は２に記載の操作装置。
【請求項４】
前記固定部は、ねじ穴を形成されていることを特徴とする請求項３に記載の操作装置。
【請求項５】
スイッチ部材を有し、
前記保持部は、前記操作部材の回転軸の周りの、前記スイッチ部材の配置された角度範囲とは異なる角度範囲に配置されている、
ことを特徴とする請求項１乃至４のいずれか１項に記載の操作装置。
【請求項６】
スイッチ部材を有し、
前記保持部は、前記操作部材の回転軸の方向における前記スイッチ部材の配置された範囲において、前記保持部により保持された前記突起部材の前記回転軸からの距離が前記スイッチ部材のそれより大きくならないように、配置されている、
ことを特徴とする請求項１乃至４のいずれか１項に記載の操作装置。
【請求項７】
前記保持部は、前記操作部材の回転軸の方向において、前記保持部により保持された前記突起部材が前記操作装置から突出しないように、配置されている、
ことを特徴とする請求項１乃至６のいずれか１項に記載の操作装置。
【請求項８】
前記保持部は、前記回転軸の方向において、前記操作部材の端面とは反対側の前記操作装置の端面から、前記保持部により保持された前記突起部材が突出しないように、配置されていることを特徴とする請求項７に記載の操作装置。
【請求項９】
前記光学部材を含む装置にケーブルを介して接続するためのコネクタ部材と、
スイッチ部材と、
を有し、  前記保持部は、前記コネクタ部材と前記スイッチ部材との間に配置されている、ことを特徴とする請求項１乃至４のいずれか１項に記載の操作装置。
【請求項１０】
前記操作部材の回転軸を含む平面の内において前記ねじ穴の中心軸と前記回転軸とが互いになす角度は、５度以上８５度以下であることを特徴とする請求項４に記載の操作装置。
【請求項１１】
前記突起部材および前記固定部のうち一方は磁性体を含み、前記突起部材および前記固定部のうち他方は磁石を含むことを特徴とする請求項３に記載の操作装置。
【請求項１２】
前記保持部は、互いに長さの異なる複数の突起部材を保持することを特徴とする請求項１乃至１１のいずれか１項に記載の操作装置。
【請求項１３】
可動の光学部材と、前記光学部材を操作するための請求項１乃至１２のいずれか１項に記載の操作装置と、を有することを特徴とするレンズ装置。
【請求項１４】
前記光学部材は、レンズ又は絞りを含むことを特徴とする請求項１３に記載のレンズ装置。
【請求項１５】
請求項１３又は１４に記載のレンズ装置と、
前記レンズ装置により形成された像を受ける撮像素子と、
を有することを特徴とする撮像装置。
【発明の詳細な説明】
【技術分野】
【０００１】
本発明は、操作装置、レンズ装置および撮像装置に関する。
【背景技術】
【０００２】
従来、放送用のレンズ装置ではフォーカスの操作を行うのに、操作装置を使用する。使用者は、操作装置の操作部を回転することで、レンズ装置のフォーカスレンズユニットを移動させる。操作部の外周部には複数の突起部材が設けられている（特許文献１、２参照）。そのため、操作部を握って行う操作の他に、突起部材を指先でつまんで行う操作も可能である。また、突起部材を撮影条件（被写体距離）の目印として使用することもある。一方、使用者によっては突起部材が操作の妨げになることもあり、その場合には突起部材を操作部から取り外すことも可能である。また、互いに異なる長さを有する複数の突起部材のうちから選択された突起部材を操作部に取り付けることも可能となっている。すなわち、操作部の操作形態は、使用者の好みに応じて選択可能となっている。
【先行技術文献】
【特許文献】
【０００３】
【特許文献１】特許第２５８６６１８号公報
【特許文献２】特開２０００−１１１７８３号公報
【発明の概要】
【発明が解決しようとする課題】
【０００４】
上述の特許文献１、２に開示された従来技術では、突起部材を取り外し又は交換した場合、取り外した突起部材を紛失するおそれがある。また、突起部材の取り付けや交換が想定される場合には、突起部材を所持していなければならない。
【０００５】
本発明は、例えば、使用しない突起部材の所持に有利な操作装置を提供することを目的とする。
【課題を解決するための手段】
【０００６】
上記目的を達成するために、本発明のレンズ操作装置は、操作部材を有し、前記操作部材の回転操作により、可動の光学部材を操作するための操作装置であって、前記操作部材は、突起部材を着脱可能であり、前記操作部材に前記突起部材を着けない場合に前記突起部材を保持する保持部を有する、ことを特徴とする。
【発明の効果】
【０００７】
本発明によれば、例えば、使用しない突起部材の所持に有利な操作装置を提供することができる。
【図面の簡単な説明】
【０００８】
【図１】レンズ装置とレンズ操作装置のシステム概略図
【図２】実施例１のレンズ操作装置の突起部材使用時の外観図
【図３】実施例１のレンズ操作装置の突起部材収納時の外観図
【図４】実施例２のレンズ操作装置の突起部材使用時の外観図
【図５】実施例２のレンズ操作装置の突起部材収納時の外観図
【図６】実施例２のレンズ操作装置の突起部材収納時の底面視図
【図７】実施例２のレンズ操作装置の部分断面概略図
【図８】第３の実施例のレンズ操作装置の長い突起部材使用時の外観図
【図９】第３の実施例のレンズ操作装置の短い突起部材使用時の外観図
【図１０】第３の実施例のレンズ操作装置の突起部材収納時の外観図
【図１１】第３の実施例のレンズ操作装置の突起部材収納時の側面図
【発明を実施するための形態】
【０００９】
以下に、本発明の好ましい実施の形態を、添付の図面に基づいて詳細に説明する。
【実施例１】
【００１０】
図１から図３を用いて、本発明の第１の実施例のレンズ操作装置について説明する。図１はレンズ装置とレンズ操作装置を有するレンズシステムの概略図、図２はレンズ操作装置の回転操作部に突起部材を取り付けた状態の外観図、図３は回転操作部から突起部材を取り外して装置本体の収納部に取り付けた状態の外観図である。
レンズ操作装置Ｄ１は、装置本体１１と、装置本体１１と相対的に回転可能な回転操作部（操作部材）２とで構成され、回転操作部２を回転操作することによりレンズ装置の可動光学部材を手動操作するものである。回転操作部２の外周面には複数の突起部材４が着脱可能に固定されている。装置本体１１には、レンズ操作装置Ｄ１とレンズ装置Ｌを接続するための接続端子（コネクタ部材）３と、回転操作部２から外した突起部材４を収納するための収納部（保持部）５と、レンズ操作装置Ｄ１を三脚などに固定するための装置固定部９が構成されている。レンズ操作装置Ｄ１は接続端子３からケーブルＣを介してレンズ装置Ｌのレンズコネクタ１０１に接続されている。使用者が回転操作部２を操作すると、操作角度に応じた駆動信号がレンズ装置Ｌの制御部１０２から駆動部１０３へ出力され、フォーカス群（可動光学部材）Ｆを所望の位置に移動することができる。
【００１１】
使用者にとって突起部材が必要な際には、図２のように、回転操作部２に形成されたねじ穴２ａに突起部材４を取り付ける。一方、使用者にとって突起部材が不要な場合には、図３のように、収納部５に複数形成された収納ねじ穴（固定手段）５ａに突起部材４を取り付ける。突起部材４を収納した状態では、突起部材４は回転操作部２の外周部に突出しないため、突起部材４が使用者の回転操作部２の操作に影響を与えることはない。また、収納部５は接続端子３の近傍に設けられているため、突起部材４を収納した状態では、突起部材４が装置本体１１の接続端子３とケーブルＣの接続部を保護する効果も得られる。
【００１２】
以上のように、本発明によれば、簡単な構成で、回転操作部の操作性を損なうことなく、突起部材の紛失防止を可能としたレンズ操作装置を提供することができる。
【実施例２】
【００１３】
図４から図７を用いて、本発明の第２の実施例のレンズ操作装置について説明する。図４は第２の実施例のレンズ操作装置の回転操作部に突起部材を取り付けた状態の外観図、図５は回転操作部から突起部材を取り外して装置本体の収納部に取り付けた状態の外観図である。また、図６は図５の矢印Ｋ視図、図７はレンズ操作装置の装置本体の断面を示した部分断面概略図である。なお、第１の実施例と同じ要素については、同じ符号を付して説明は省略する。
【００１４】
レンズ操作装置Ｄ２の装置本体２１の外装面には、操作スイッチ（スイッチ部材）Ｓが構成されている。また、装置本体２１の外装面には、収納部６が外装面に対して凹形状に形成されている。収納部６には、収納ねじ穴６ａが複数形成されている。
【００１５】
使用者にとって突起部材が不要な場合には、図５のように、突起部材４を収納ねじ穴６ａに取り付ける。突起部材４を収納した状態では、突起部材４は回転操作部２の外周部に突出していないため、突起部材４が使用者の回転操作部２の操作に影響を与えることはない。また、図６に示すように、回転中心軸Ｐの方向（矢印Ｋ）からみた際、収納された突起部材４が配置される回転軸回りの角度範囲（位相）Ｈと、操作スイッチＳが配置されている回転軸回りの角度範囲（位相）Ｇとが重ならないように、収納ねじ穴（固定手段）６ａは形成されている。また、図７に示すように、回転中心軸Ｐの方向の操作スイッチＳが配置されている範囲Ｅにおいて、突起部材４は回転中心軸Ｐから装置本体２１の外周面までの距離Ｆより内側に収納されている。したがって、使用者が操作スイッチＳを操作する際、また、操作スイッチＳを指先で探る際に、収納された突起部材４が使用者の操作を妨げることはない。さらに、収納ねじ穴６ａは、装置本体２１の回転中心軸Ｐの回りの周方向において、操作スイッチＳと接続端子３の間に配置されている。また、回転操作部２の回転軸を含む平面において収納ねじ穴６ａの中心軸６ｂと回転操作部２の回転中心軸Ｐの互いになす角度はθであり、さらに、収納部６の回転操作部２と反対側に形成された傾斜面６ｃにより、収納された突起部材４を取り外しやすくなっている。なお、角度θは５度以上８５度以下であることが効果的である。また、レンズ操作装置の装置本体の外周面から突出させないように突起部材４を収容することが優先される場合は、角度θを０度すなわち、回転軸と平行となるように収納するようにしてもよい。また、収納された突起部材４は、回転軸方向において装置固定部９の取付面（回転操作部とは反対側の端面）より外側に突出しないため、装置固定部９によりレンズ操作装置を三脚などに固定する場合においても固定を妨げることはない。
【００１６】
以上のように、本発明によれば、回転操作部および装置の外装面に配置された操作スイッチの操作性を損なうことなく、突起部材の紛失防止を可能としたレンズ操作装置を提供することができる。
【実施例３】
【００１７】
図８から図１１を用いて、本発明の第３の実施例のレンズ操作装置について説明する。第３の実施例のレンズ操作装置は、第１、第２の実施例のレンズ操作装置と長さの異なる突起部材を収納可能にした点が異なる。図８は第３の実施例のレンズ操作装置の回転操作部に長い突起部材を取り付けた状態の外観図、図９は回転操作部に短い突起部材を取り付けた状態の外観図である。図１０はすべての突起部材を装置本体に収納した状態の外観図、図１１は側面図である。なお、第１、第２の実施例と同じ要素については、同じ符号を付して説明は省略する。
【００１８】
レンズ操作装置Ｄ３の装置本体３１の外装面には、操作スイッチ（スイッチ部材）Ｓが構成されており、装置本体３１の底面部には、少なくとも長い突起部材４１の一部を収納するための収納部７１と、短い突起部材４２を収納するための収納部７２が底面部に対して凹形状に形成されている。収納部７１、収納部７２には、それぞれ収納穴７１ａ、収納穴７２ａが複数形成されている。収納穴７１ａ、収納穴７２ａの底面部には、突起部材を固定するための固定部材であるねじ穴７１ｂ、ねじ穴７２ｂが形成されている。
【００１９】
使用者が長い突起部材４１を使用する場合には、図８のように、長い突起部材４１を回転操作部２に取り付け、短い突起部材４２は収納穴７２ａに収納される。使用者が短い突起部材４２を使用する場合には、図９のように、短い突起部材４２を回転操作部２に取り付け、長い突起部材４１は収納穴７１ａに収納される。使用者にとって突起部材が不要な場合には、図１０のように、長い突起部材４１、短い突起部材４２はそれぞれ収納穴７１ａ、収納穴７２ａに収納される。図１１に示すように、収納された突起部材は装置本体３１の内部の空間内に収納されるため、レンズ操作装置Ｄ３の外周面には突出しない。したがって、回転操作部２および操作スイッチＳを操作する際、また、操作スイッチＳを指先で探る際に、収納された突起部材が操作を妨げることはない。収納された長い突起部材４１および短い突起部材４２は、回転軸方向において装置固定部９の取付面より外側に突出しないため、装置固定部９によりレンズ操作装置を三脚などに固定する場合においても固定を妨げることはない。
【００２０】
本実施例では、収納穴の底面にねじ穴を設けて突起部材を固定したが、収納穴を覆う蓋部材を設ければ、突起部材を収納する際にねじ込む必要がないため、収納および取り出し作業に要する時間を短縮できる。
【００２１】
以上のように、本発明によれば、回転操作部および装置の外装面に配置された操作スイッチの操作性を損なうことなく、突起部材の紛失防止を可能としたレンズ操作装置を提供することができる。
【００２２】
上記各実施例では、突起部を収納部に固定する方法として、ねじによる係合を例に説明したが、収納部に弾性部材を設けて突起部材を圧入あるいは係合して保持する方法でも同様の効果が得られる。また、突起部材を鉄などの磁性体で作製して、他方の収納部に磁石を設けて保持する方法など、突起部材を着脱自在に保持可能であれば方法を限定しない。突起部材と収納部の一方が磁性体で作成され、他方が磁石を有するように構成されることにより、本発明の効果は同様に享受できる。
【００２３】
本発明の操作装置は、フォーカスレンズ、ズームレンズ、マクロレンズ等の可動光学部材を有するレンズ装置の操作装置として使用することができ、該操作装置、該レンズ装置により本発明の作用効果を享受できるレンズ装置を提供することができる。
さらに、本発明の操作装置を有するレンズ装置と、該レンズ装置により形成された像を受ける撮像素子とを備えることにより、本発明の作用効果を享受できる撮像装置を提供することができる。
【００２４】
以上、本発明の好ましい実施形態について説明したが、本発明はこれらの実施形態に限定されず、その要旨の範囲内で種々の変形および変更が可能である。
【００２５】
上記各実施例によれば、回転操作部の操作性を損なうことなく、突起部材の紛失防止を可能としたレンズ操作装置を提供することができる。
【符号の説明】
【００２６】
Ｌ    レンズ装置
Ｄ１  レンズ操作装置
１１  装置本体
２    回転操作部
２ａ  ねじ穴
４    突起部材
５    収納部
５ａ  収納ねじ穴
【図１】
2019086609.tif 000003
【図２】
2019086609.tif 000004
【図３】
2019086609.tif 000005
【図４】
2019086609.tif 000006
【図５】
2019086609.tif 000007
【図６】
2019086609.tif 000008
【図７】
2019086609.tif 000009
【図８】
2019086609.tif 000010
【図９】
2019086609.tif 000011
【図１０】
2019086609.tif 000012
【図１１】
2019086609.tif 000013